(57)【要約】【課題】  買い替えの際にイヤホンを併せて購入する必要がなく、しかも好みのイヤホンを使用できるホルダーの提供。【解決手段】  携帯型プレーヤを接続して保持するホルダーであって、ホルダー本体のプレーヤ取付け面に、前記携帯型プレーヤに設けられた挿入孔に嵌合されて携帯型プレーヤに電気的に接続されるジャック、および携帯型プレーヤのインターフェースとしてのスロットに嵌合する嵌合部を突出するように設け、携帯型プレーヤの音声情報を取出すべく前記ジャックに電気的に接続されるとともにイヤホンジャックを挿入するジャック孔部が設けられた構成。【選択図】  図１
2007235515.tif 000002
【特許請求の範囲】
【請求項１】
携帯型プレーヤを接続して保持するホルダーであって、ホルダー本体のプレーヤ取付け面に、前記携帯型プレーヤに設けられた挿入孔に嵌合されて携帯型プレーヤに電気的に接続されるジャック、および携帯型プレーヤのインターフェースとしてのスロットに嵌合する嵌合部を突出するように設け、
携帯型プレーヤの音声情報を取出すべく前記ジャックに電気的に接続されるとともにイヤホンジャックを挿入するジャック孔部が設けられた構成であることを特徴とするホルダー。
【請求項２】
ジャックの基部とジャック孔部とは、ホルダー本体内で中継ジャックを介して一体に形成されており、且つジャックとジャック孔部とは中継ジャックを介して互いに同一平面内で直角になるよう設けられることで、ジャック孔部がホルダー本体の側面に配置されていることを特徴とする請求項１記載のホルダー。
【請求項３】
ホルダー本体は、二つ割りの本体部を対向するよう合わせてなり、ホルダー本体に、本体部どうしを合わせた状態でジャックの基部、中継ジャック、およびジャック孔部を嵌合支持する凹部が形成されていることを特徴とする請求項１または請求項２記載のホルダー。
【請求項４】
ホルダー本体に、掛け紐を挿通する挿通孔が形成されていることを特徴とする請求項１ないし請求項３の何れかに記載のホルダー。
【請求項５】
嵌合部は矩形断面に形成されており、嵌合部の側面に対して弾性部材によって出退自在に設けられた係合片を有し、係合片は弾性部材の弾性力によりスロット周壁面に係合するものであることを特徴とする請求項１ないし請求項４の何れかに記載のホルダー。
【請求項６】
ホルダー本体の側面に、係合片を出退操作するための操作片が設けられていることを特徴とする請求項１ないし請求項５の何れかに記載のホルダー。
【請求項７】
ホルダー本体に携帯型プレーヤの外側面に沿うよう延長される延長部が形成されていることを特徴とする請求項１ないし請求項６の何れかに記載のホルダー。
【請求項８】
延長部は携帯型プレーヤの外側面のうち少なくとも前後の側面に沿うよう対で設けられ、前後の延長部のうち一方である携帯型プレーヤの操作面の反対側に配置された延長部が、携帯型プレーヤの操作面側である他方の延長部に比べて長く設定されていることを特徴とする請求項７記載のホルダー。
【発明の詳細な説明】
【技術分野】
【０００１】
本発明は、携帯型プレーヤ等を保持するホルダーに関する。
【背景技術】
【０００２】
従来、携帯型プレーヤ（例えば、商品名：ｉＰｏｄ  ｎａｎｏ）の付設品としてのホルダーとして、ホルダー本体に、携帯型プレーヤに設けられたイヤホンジャック挿入孔に嵌合されるイヤホンジャックと、携帯型プレーヤのインターフェースとしてのスロットに嵌合する薄肉直方体状の嵌合部と、イヤホンのコードの一部を挿通することで内装する首掛け紐とを備えたものが市販されている。
【０００３】
このホルダーでは、携帯型プレーヤのイヤホンジャック挿入孔にイヤホンジャックを挿入するとともに、携帯型プレーヤのスロットに嵌合部を嵌合し、首掛け紐を使用者の首に掛けて使用する。なお、例えば端末機（携帯電話）に接続するホルダーとして、例えば特許文献１に示すものがある。
【特許文献１】特開２００１−３０９０２９号公報
【発明の開示】
【発明が解決しようとする課題】
【０００４】
しかしながら、上記ホルダーでは、携帯型プレーヤのスロットと嵌合部との嵌合力が弱くなると、ホルダーから携帯型プレーヤが離脱し易くなる。このような場合では、ホルダーそのものを新たに購入しなければならない。そして、ホルダーはイヤホンそのものを備えているから、イヤホンまでも一緒に購入しなければならないことになる。また、ホルダーには決まったタイプのイヤホンを備えているから、消費者はその商品の中から選択して購入しなければならなかった。
【０００５】
そこで本発明は、上記課題に鑑み、買い替えの際にイヤホンを併せて購入する必要がなく、しかも好みのイヤホンを使用できるホルダーの提供を課題とする。
【課題を解決するための手段】
【０００６】
本発明のホルダーは、携帯型プレーヤを接続して保持するホルダーであって、ホルダー本体のプレーヤ取付け面に、前記携帯型プレーヤに設けられた挿入孔に嵌合されて携帯型プレーヤに電気的に接続されるジャック、および携帯型プレーヤのインターフェースとしてのスロットに嵌合する嵌合部を突出するように設け、携帯型プレーヤの音声情報を取出すべく前記ジャックに電気的に接続されるとともにイヤホンジャックを挿入するジャック孔部が設けられた構成を特徴としている。
【０００７】
上記構成のホルダーでは、携帯型プレーヤの挿入孔にジャックを電気的に接続されるよう嵌合し、携帯型プレーヤのスロットに嵌合部を嵌合して、携帯型プレーヤをホルダー本体のプレーヤ取付け面に保持する。そして、ジャック孔部にイヤホンジャックを挿入するようにして使用する。携帯型プレーヤのスロットと嵌合部との嵌合力が弱くなった場合、ホルダーの交換をするものであるが、本発明のホルダーでは、イヤホンジャックを挿入するジャック孔部を特別に設けており、ホルダーとイヤホンとは一体になっていないから、イヤホンの交換は伴わず、さらにイヤホンは、使用者が好みのものを選択して使用することが可能である。なお、イヤホンとしてはインナーイヤータイプやヘッドホンタイプ等を含む音声発生器の概念である。
【０００８】
本発明のホルダーでは、ジャックの基部とジャック孔部とは、ホルダー本体内で中継ジャックを介して一体に形成されており、且つジャックとジャック孔部とは中継ジャックを介して互いに同一平面内で直角になるよう設けられることで、ジャック孔部がホルダー本体の側面に配置されていることを特徴としている。
【０００９】
上記構成によれば、使用者は、ホルダー本体を手指で把持してイヤホンのジャックをホルダー本体の側面から容易に差し込むことが可能であり、ジャックとジャック孔部とは中継ジャックを介して互いに同一平面内で直角になるよう設けられることで簡単な構成で電気的に接続されることになる。
【００１０】
本発明のホルダーでは、ホルダー本体は、二つ割りの本体部を対向するよう合わせてなり、ホルダー本体に、本体部どうしを合わせた状態でジャックの基部、中継ジャック、およびジャック孔部を嵌合支持する凹部が形成されていることを特徴としている。
【００１１】
上記構成によれば、本体部どうしを合わせることで、ジャックの基部、中継ジャック、およびジャック孔部を容易に保持することが可能である。
【００１２】
本発明のホルダーでは、ホルダー本体に、掛け紐を挿通する挿通孔が形成されていることを特徴としている。
【００１３】
上記構成によれば、挿通孔に掛け紐を通して使用者は、例えば掛け紐を首に掛けてホルダーを使用するようにすれば、携帯に便利な使用が可能となる。
【００１４】
本発明のホルダーでは、嵌合部は矩形断面に形成されており、嵌合部の側面に対して弾性部材によって出退自在に設けられた係合片を有し、係合片は弾性部材の弾性力によりスロット周壁面に係合するものであることを特徴としている。
【００１５】
上記構成によれば、嵌合部とスロットを嵌合する途中では、嵌合部から突出していた係合片がスロットの周壁面に押圧されて弾性部材の弾性力に抗して一旦嵌合部側に退き、嵌合部とスロットとが嵌合することで、再び係合片が弾性部材の弾性力により突出してスロットの周壁面に係合する。これによって、嵌合部とスロットの嵌合力に、係合片とスロットの周壁面との係合力が加わり、携帯型プレーヤがホルダーに確実に保持される。嵌合部とスロットを離脱させるときは、係合片がスロットの周壁面によって弾性部材の弾性力に抗して押圧されることで、一旦係合片が嵌合部側に退き、嵌合部とスロットとの嵌合が解除されると、再び係合片が弾性部材の弾性力により突出するといった動作をする。
【００１６】
本発明のホルダーでは、ホルダー本体の側面に、係合片を出退操作するための操作片が設けられていることを特徴としている。
【００１７】
上記構成によれば、操作片を弾性部材の弾性力に抗して操作することで、係合片を出退操作することが可能になるから、特に、嵌合部とスロットとの嵌合離脱操作がし易い。
【００１８】
本発明のホルダーでは、ホルダー本体に携帯型プレーヤの外側面に沿うよう延長される延長部が形成されていることを特徴としている。
【００１９】
上記構成において、携帯型プレーヤにホルダーを装着すると、延長部が携帯型プレーヤの外側面に沿うようになるから、この延長部によってホルダーに対する携帯型プレーヤの倒れが防止される。
【００２０】
本発明のホルダーでは、延長部は携帯型プレーヤの外側面のうち少なくとも前後の側面に沿うよう対で設けられ、前後の延長部のうち一方である携帯型プレーヤの操作面の反対側に配置された延長部が、携帯型プレーヤの操作面側である他方の延長部に比べて長く設定されていることを特徴としている。
【００２１】
上記構成において、携帯型プレーヤの前面および後面に延長される前後の延長部を設けることにより、携帯型プレーヤをホルダーに装着した際に、延長部が携帯型プレーヤを前後で支持するから、ホルダーに対する携帯型プレーヤの倒れを防止することが可能となる。特に、携帯型プレーヤの操作面がある反対側における延長部を長くすることで、携帯型プレーヤの操作に伴う力を長い延長部で受けることになるから、ホルダーに対する携帯型プレーヤの倒れをいっそう確実に防止することが可能となる。
【発明の効果】
【００２２】
本発明のホルダーによれば、ジャックに携帯型プレーヤの挿入孔を挿入することでホルダーと携帯型プレーヤとが接続され、嵌合部とスロットとを嵌合することで携帯型プレーヤをホルダーに保持することができる。また、ジャックにイヤホンジャックを挿入するためのジャック孔部を電気的に接続してこのジャック孔をホルダー本体に有しているから、ホルダーとイヤホン（ヘッドホン）とは一体になっていない。したがって、携帯型プレーヤのスロットと嵌合部との嵌合力が弱くなってホルダーを交換する場合でも、イヤホンの交換は必要ない。さらにイヤホンは、使用者が好みのものを選択して使用することができる。
【発明を実施するための最良の形態】
【００２３】
以下、本発明のホルダーに係る実施形態を図面に基づいて説明する。図１は本発明の実施形態を示すホルダーの使用状態を示す斜視図、図２は正面図、図３はジャックの構成を示す斜視図、図４は背面図、図５は断面図、図６は嵌合図の単体斜視図、図７は一方の本体部の斜視図、図８は他方の本体部の背面図である。
【００２４】
図１および図２に示すように、ホルダー１は携帯型プレーヤ（例えば、商品名：ｉＰｏｄ  ｎａｎｏ）Ａに用いるもので、合成樹脂製の二つ割りの本体部２，３を対向するよう合わせてなる略直方体形状のホルダー本体４を有する。
【００２５】
ホルダー本体４の上面である携帯型プレーヤＡの取付け面４ｂの一方片側寄りに、ジャック５が取付け面４ｂに垂直な方向へ突設されている。このジャック５は携帯型プレーヤＡに電気的に接続されるものであり、且つ携帯型プレーヤＡの底面に形成された挿入孔Ｂに適度の嵌合力で嵌合するものである。図２ないし図５に示すように、ジャック５の基部５ａはホルダー本体４内で中継ジャック１５に接続されており、ジャック５に対して中継ジャック１５およびジャック孔部１５ａは、ホルダー本体４内で、同一平面内で直角になるよう形成されている。これらジャック５、中継ジャック１５およびジャック孔部１５ａは、導通性の金属材料によって一体的に形成されている。中継ジャック１５の径はジャック５の径に比べて小径に形成され、ジャック孔部１５ａの断面は円筒状に形成されており、その開口１５ｂは、ホルダー本体４の側面９に開放されている。また、中継ジャック１５の径はジャック孔部１５ａの径に比べて小径に形成されている。
【００２６】
ジャック５に隣り合って、嵌合部６が取付け面４ｂの他方片側寄りにジャック５と同様突出するよう設けられている。この嵌合部６は、図６に示すように、ホルダー本体４内に保持される板状部６ｃと、この板状部６ｃに一体的に形成されてその板面から突出する嵌合片６ｄとを有する。嵌合片６ｄは板状部６ｃに比べて縮小された小断面積に形成されている。この嵌合部６の嵌合片６ｄは、携帯型プレーヤＡに設けられたスロットＳに対応する断面形状であって、該スロットＳに適度の嵌合力をもって嵌合するものである。嵌合片６ｄの両側部分は上下方向に沿う段付き面６ｅを有して、これによって中央領域に比べて幅薄に形成された断面形状となっている。
【００２７】
嵌合片６ｄの左右両側面には、携帯型プレーヤＡのスロットＳの周壁面に係脱自在な係合部７，８（後述する）を出退自在とする案内孔６ａ，６ｂが形成されている。
【００２８】
ホルダー本体４の両側面９，１０に、係合部７，８（その係合片４０，４１）を嵌合片６ｄの左右両側面に対して出退させるための操作片１１，１２が同一高さ位置に設けられている。なお、操作片１１はジャック孔部１５ａに対して上方に配置されている。これら操作片１１，１２は、それぞれ外側面１１ｂ，１２ｂ、すなわち使用者が直接手指で押圧する部分は円弧状に形成され、基部１１ｃ，１２ｃが直方体状に形成された一体物である。このように基部１１ｃ，１２ｃが直方体状に形成されることにより、その外周面は平面となっているから、押圧の際の移動が円滑に行われるようになる。すなわち、図７および図８に示すように、ホルダー本体４の両側面部に相当する部分に形成された案内凹部１１ａ，１２ａの周壁面が案内面となっている。
【００２９】
ホルダー本体４の下部中央領域に、左右方向に長い長孔（挿通孔に相当する）１３が前後に貫通するよう形成されている。この長孔１３の長さ、幅は、それぞれ帯状の掛け紐１３Ａを挿通して、且つ掛け紐１３Ａが長孔１３の壁面に摺動可能な空間をつくるよう設定されている。
【００３０】
前記係合部７，８は、例えば合成樹脂から形成されており、全体として弾性を有する。係合部７，８はホルダー本体４内に収納される基部７ｂ，８ｂと、嵌合部６の嵌合片６ｄの左右側面にそれぞれ出退自在な係合片４０，４１が形成された頭部４３，４４とを有する。
【００３１】
特に、係合部７，８の基部７ｂ，８ｂは、それぞれ前記操作片１１，１２に連動するよう構成されていて、操作片１１，１２を、基部７ｂ，８ｂの弾性に抗して押圧すると係合部７，８の係合片４０，４１は嵌合部６の側面内に後退し、操作片１１，１２を無負荷（押圧しない）の状態とすると、係合片４０，４１は嵌合部６の側面からそれぞれ左右に突出するよう構成されている。
【００３２】
この係合片４０，４１は、上面４０ａ，４１ａと、下面である係合面７ａ，８ａとを有している。上面４０ａ，４１ａは斜め上方に向けて凸となる滑らかな円弧状に形成されている。係合面７ａ，８ａは上面４０ａ，４１ａの先端に連設して急峻な傾斜角度（ホルダー本体４の上面に平行に近い角度）で、それぞれ左右方向内方に向けて延長形成され、係合面７ａ，８ａと頭部４３，４４とは左右方向内方に突となる円弧面によって連続している。
【００３３】
ここで、ホルダー本体４を構成する本体部２，３について述べる。図７および図８に示すように、本体部２，３には、互いを嵌合させるための嵌合凸部２０および嵌合凹部２１が併せ面２３，２４の複数箇所（この場合、四隅位置）に形成されている。
【００３４】
ホルダー本体４内にはジャック５の基部５ａを装着する第一円柱状凹部１６が上下方向に沿うように形成されている。また、中継ジャック１５を内装支持する第二円柱状凹部１７と、ジャック孔部１５ａを内装支持する第三円柱状凹部１８が左右方向に形成されている。但し、これら第一円柱状凹部１６、第二円柱状凹部１７および第三円柱状凹部１８は、本体部２，３については半円柱形状をしており、本体部２，３を対向するよう合わせて、これらは円柱状に形成されるものである。
【００３５】
前記嵌合部６を保持するべく、嵌合部６の板状部６ｃが嵌合する第一凹部２６と嵌合片６ｄをホルダー本体４の上面から突出させるべく嵌合片６ｄの基部が嵌合する第二凹部２７が、ホルダー本体４の上部に形成されている。これら第一凹部２６と第二凹部２７とは連続してしており、本体部２，３を対向するよう合わせることで、ぞれぞれ板状部６ｃ、嵌合片６ｄの基部に対応する形状に形成されている。
【００３６】
ホルダー１は、左右の係合部７，８の基部７ｂ，８ｂを操作して係合片４０，４１を出退操作するための板ばね（弾性部材の一例）Ｓ１，Ｓ２を有している。ホルダー本体４に板ばねＳ１，Ｓ２を案内するための溝４ａが、ホルダー本体４の上部の左右方向に沿って形成されている。この溝４ａは、案内凹部１１ａ，１２ａ間に連続するよう形成されている。この溝４ａも同様に、本体部２，３を対向するよう合わせることで板ばねＳ１，Ｓ２を保持するよう構成されている。
【００３７】
上記構成のホルダー１は、携帯型プレーヤＡに接続することで、これを保持するものである。この場合、嵌合部６に携帯型プレーヤＡのスロットＳを嵌合するようにし、ジャック５に携帯型プレーヤＡの挿入孔Ｂを嵌合する。ジャック５に挿入孔Ｂを嵌合することで、携帯型プレーヤＡとホルダー１とが電気的に接続され、且つ嵌合部６と携帯型プレーヤＡのスロットＳとが嵌合することで、適度の嵌合力で両者が接続される。さらに、嵌合部６に携帯型プレーヤＡのスロットＳを嵌合したとき、スロットＳの周壁面に係合片４０，４１が係合する。上記のようにして携帯型プレーヤＡをホルダー１に接続すると、携帯型プレーヤＡが取付け面４ｂに設置される。
【００３８】
特に、嵌合部６に携帯型プレーヤＡのスロットＳを嵌合する際には、係合片４０，４１の上面４０ａ，４１ａが円弧状であるからスロットＳの周壁面によって、上面４０ａ，４１ａが係合部７，８の弾性に抗して押圧されることで係合片４０，４１が後退して楽に両者を嵌合することができる。そして、上記のように嵌合部６に携帯型プレーヤＡのスロットＳが完全に嵌合したとき、係合部７，８の弾性が復元して、スロットＳの周壁面に形成されている凹部に係合片４０，４１の係合面７ａ，８ａが係合する。これによりホルダー１が携帯型プレーヤＡにいっそう確実に接続される。
【００３９】
ホルダー１に携帯型プレーヤＡを接続したら、予め長孔１３に通してある掛け紐１３Ａとなるベルトを使用者が首に掛ける。掛け紐１３Ａを首に掛けた状態では、ホルダー１に携帯型プレーヤＡの重量によりホルダー１が上、携帯型プレーヤＡが下となる。したがって、使用者は携帯型プレーヤＡに付設されている操作ボタン等を操作する際は、携帯型プレーヤＡを上下逆転させることで操作がし易い。
【００４０】
ホルダー１に携帯型プレーヤＡの重さがかかるが、上記のように、携帯型プレーヤＡはホルダー１に確実に保持されているから、携帯型プレーヤＡに不測の力が働いたとしても、携帯型プレーヤＡはホルダー１から離脱し難い。しかし使用者は、安全を期して携帯型プレーヤＡをポケットなどに収納して使用することが好ましい。
【００４１】
また、ホルダー本体４の側面９に開放されているジャック孔部１５ａの開口１５ｂにイヤホンジャック３０を差込んで、使用者はイヤホンやヘッドホンを耳に装着して使用する。
【００４２】
なお、操作片１１，１２を板ばねＳ１，Ｓ２の弾性に抗して押圧することで係合片４０，４１が嵌合部６に対して没するから、このようにしても嵌合部６にスロットＳを楽に嵌合させることができる。
【００４３】
ホルダー１と携帯型プレーヤＡとを離脱させる際には、板ばねＳ１，Ｓ２の弾性に抗して操作片１１，１２を押圧することで係合片４０，４１を嵌合部６の側面から後退させる。このことで、係合片４０，４１とスロットＳの周壁面との係合が解除されるから、携帯型プレーヤＡの挿入孔Ｂ周壁面とジャック５との嵌合力、嵌合部６とスロットＳ周壁面との嵌合力に抗して両者を離すようにすることで、ホルダー１から携帯型プレーヤＡを離脱させることができる。
【００４４】
本発明の実施形態によれば、ホルダー１はジャック孔部１５ａを有してホルダー本体４の側面９にジャック孔部１５ａの開口１５ｂが解放されている構成であり、したがってホルダー１に対して好みのイヤホンを使用することができ、汎用性に優れる。
【００４５】
さらに、嵌合部６とスロットＳとの嵌合力が使用に伴って経時的に低下してきたときは、これまで使用していたイヤホンは交換することなくそのまま使用して、ホルダー１のみを交換（買い替え）することができる。つまり、従来では、ホルダーとイヤホンとは一体であったから、ホルダーの交換はイヤホンの交換でもあり、不経済であることに加え、好みのイヤホンを使用することには大きな制限があった。しかしながら、本発明の実施形態によれば、ホルダー１とイヤホンとは別々であるから、好みのイヤホンを使用できるという汎用性がホルダー１にあり、さらにホルダー１のみの交換で済むという経済的面でも優れている。
【００４６】
ホルダー本体４の構成は、上記実施形態に限定されるものではない。図９ないし図１３は別のホルダー１の使用状態を示す。これらの図に示すホルダー本体４は、ホルダー本体４の前部および後部に、携帯型プレーヤＡの前面Ａ１および後面Ａ２に沿って延長される前後の延長部５０，５１を有している。この延長部５０，５１はホルダー本体４の前部および後部に一体的に形成されており、後部の延長部５０の方が、前部の延長部５１にくらべてその延長量が長く形成されている。
【００４７】
このように、携帯型プレーヤＡの前面Ａ１および後面Ａ２に延長される前後の延長部５０，５１を設けることにより、携帯型プレーヤＡをホルダー１に装着した際に、延長部５０，５１が携帯型プレーヤＡを前後で支持するから、ホルダー１に対する携帯型プレーヤＡの倒れを防止することが可能となる。
【００４８】
携帯型プレーヤＡの操作ボタン等は、携帯型プレーヤＡの前面Ａ１にあるから、使用者が操作ボタン等を前面Ａ１から後面Ａ２側に向けて押せば、携帯型プレーヤＡに後方側に倒れる力が働く。しかし、後部の延長部５０の方が、前部の延長部５１に比べてその延長量が長く形成されているから、このような倒れを効果的に抑制することができる。
【００４９】
その他、上記実施形態との相違は、操作片１１，１２の形状、長孔１３であり、この実施形態での操作片１１，１２の側面は平面に形成されており、長孔１３の幅は、上記実施形態に比べて幅広に形成されている。操作片１１，１２の側面を平面に形成することで、使用者の手指にフィットする感覚がいっそう確かになり易い。
【００５０】
また、長孔１３の幅を広くすることにより、掛け紐１３Ａを通し易くなる。これらの形状の選択は、美観等を考慮して任意に変更可能である。例えば、掛け紐１３Ａを通す孔は長孔でなくてもよく、例えば使用者の首に確りと掛けられるものであれば紐の幅は特に問わないことに伴って、丸孔とすることもできる。
【図面の簡単な説明】
【００５１】
【図１】本発明の実施形態を示すホルダーの使用状態を示す斜視図。
【図２】同じく正面図。
【図３】同じくジャックの構成を示す斜視図。
【図４】同じく背面図。
【図５】同じく断面図。
【図６】同じく嵌合図の単体斜視図。
【図７】同じく一方の本体部の斜視図。
【図８】同じく他方の本体部の背面図。
【図９】別の実施形態を示すホルダーの使用状態を示す正面図。
【図１０】同じく側面図。
【図１１】同じく背面図。
【図１２】同じく底面図。
【図１３】同じく斜視図。
【符号の説明】
【００５２】
１…ホルダー、２，３…本体部、４…ホルダー本体、５…ジャック、１５…中継ジャック、６…嵌合部、７，８…係合部、１１，１２…操作片、１３…長孔、１３Ａ…掛け紐、１５ａ…開口、４０，４１…係合片、７ａ，８ａ…係合面、Ａ…携帯型プレーヤ、Ｂ…挿入孔、Ｓ…スロット
【図１】
2007235515.tif 000003
【図２】
2007235515.tif 000004
【図３】
2007235515.tif 000005
【図４】
2007235515.tif 000006
【図５】
2007235515.tif 000007
【図６】
2007235515.tif 000008
【図７】
2007235515.tif 000009
【図８】
2007235515.tif 000010
【図９】
2007235515.tif 000011
【図１０】
2007235515.tif 000012
【図１１】
2007235515.tif 000013
【図１２】
2007235515.tif 000014
【図１３】
2007235515.tif 000015